(57)【要約】【課題】  本発明は、配管を接続する際に据付板の上止部を支点として空気調和機を傾斜させても、据付板から安易に外れることのない空気調和機を提供することを課題とする。【解決手段】  上記課題を解決するため、本発明は、熱交換器と、熱交換器により熱交換された室内空気を吹出す送風ファンと、熱交換器及び送風ファンを内包するキャビネットと、壁面に据え付けるための据付板とを備えた空気調和機であって、キャビネットの背面上部は下方へ延びる係合上爪を備えるとともに、係合上爪は壁面と反する面に凹部を有し、据付板の上部は上方へ延びる上止部を備えるとともに、上止部は壁面方向に向かう凸部を有し、上止部の上端を支点として空気調和機を傾斜させた際に、係合上爪の凹部と上止部の凸部とが当接するように構成される。【選択図】図１
2009287854.tif 000002
【特許請求の範囲】
【請求項１】
熱交換器と、前記熱交換器により熱交換された室内空気を吹出す送風ファンと、前記熱交換器及び前記送風ファンを内包するキャビネットと、壁面に据え付けるための据付板とを備えた空気調和機であって、
前記キャビネットの背面上部は下方へ延びる係合上爪を備えるとともに、前記係合上爪は前記壁面と反する面に凹部を有し、
前記据付板の上部は上方へ延びる上止部を備えるとともに、前記上止部は前記壁面方向に向かう凸部を有し、
前記上止部の上端を支点として前記空気調和機を傾斜させた際に、前記凹部と前記凸部とが当接するように構成された空気調和機。
【請求項２】
熱交換器と、前記熱交換器により熱交換された室内空気を吹出す送風ファンと、前記熱交換器及び前記送風ファンを内包するキャビネットと、壁面に据え付けるための据付板とを備えた空気調和機であって、
前記キャビネットの背面上部から下方へ延びる係合上爪を備えるとともに、前記係合上爪外側に前記キャビネット背面上部から前記壁面方向に向かう凸部を有し、
前記据付板の上部は上方へ延びる上止部を備え、
前記空気調和機の左右位置を調整する際に、前記上止部の左右両側側面が前記凸部と接するように構成された空気調和機。
【請求項３】
請求項１において、前記係合上爪を複数の断面形状とした空気調和機。
【請求項４】
請求項１において、前記凸部を絞り形状，切り起こし形状又は曲げフランジ形状とした空気調和機。
【請求項５】
請求項２において、前記凸部を前記壁面方向を底面とする箱形状とした空気調和機。
【請求項６】
請求項２において、前記凸部をリブ形状とした空気調和機。
【請求項７】
請求項２において、前記キャビネットの背面下部から上方へ延びる係合下爪と、前記据付板の下部から上方へ延びる下止部とを備え、
前記係合上爪の端部と前記凸部との間の距離をａとし、前記係合上爪と前記上止部との距離をｂとし、前記係合下爪と前記下止部との距離をｃとすると、
ａ−ｂ＜ｂ≦ｃ
となる空気調和機。
【発明の詳細な説明】
【技術分野】
【０００１】
本発明は壁掛け形の空気調和機に関するものである。
【背景技術】
【０００２】
近年、空気調和機の普及において、配管を接続する作業の安全性の向上が不可欠となっている。従来の壁面等に据え付けられる空気調和機としては、例えば、特許文献１及び特許文献２に記載されているものがある。以下、図面を参照しながら従来の空気調和機の据付装置を説明する。
【０００３】
図６は従来の空気調和機の据付装置を示すものである。据付板１に穿設された取り付け穴１ａを貫通するネジ２を壁面３へねじ込むことにより、据付板１を壁面上に固着し、据付板１に掛止することにより空気調和機４を据え付ける。ここで配管を接続する際、また特に横引きに配管を接続する際には、配管接続に必要なスペースを確保するため、通常は据付板１の上部を支点とし、空気調和機４を傾斜させる。
【０００４】
また、図７に従来の空気調和機の据付装置を説明する。図６と同じように、据付板１に穿設された取り付け穴１ａを貫通するネジ２を壁面３へねじ込むことにより、据付板１を壁面上に固着し、据付板１に掛止することにより空気調和機４を据え付ける。空気調和機４は、配管接続後に、空気調和機４本体のキャビネット４ａの背面上部および背面下部の係合爪を、据付板１の上止部および下止部に掛止した後、空気調和機４の左右位置を空気調和機本体を持って調整する。
【０００５】
【特許文献１】実開平１−７３６２１号公報
【特許文献２】特開２００５−１６８５６号公報
【発明の開示】
【発明が解決しようとする課題】
【０００６】
しかしながら、図６の据付板１の上止部および下止部への空気調和機４の掛止の際に、据付板１の上止部を支点として空気調和機４を傾斜させると、空気調和機４は上方向への移動を余儀なくされ、空気調和機４のキャビネット４ａの背面上部の係合爪４ｂが据付板１の上止部１ａ部から外れてしまい、空気調和機４の落下を招く恐れがある。
【０００７】
また、図７の据付板１の上止部１ａおよび下止部１ｂへ空気調和機４を掛止した後、空気調和機本体を持って空気調和機４の左右位置を調整する際に、据付板１の上止部１ａおよび下止部１ｂの側面により、空気調和機４のキャビネット４ａの背面上部の係合爪４ｂおよびキャビネット４ａの背面下部の係合爪４ｃがそれと干渉し、損傷また破損を招く恐れがある。
【０００８】
本発明は、配管を接続する際に据付板の上止部を支点として空気調和機を傾斜させても、据付板から安易に外れることのない空気調和機を提供することを課題とする。
【課題を解決するための手段】
【０００９】
上記課題を解決するため、本発明は、熱交換器と、熱交換器により熱交換された室内空気を吹出す送風ファンと、熱交換器及び送風ファンを内包するキャビネットと、壁面に据え付けるための据付板とを備えた空気調和機であって、キャビネットの背面上部は下方へ延びる係合上爪を備えるとともに、係合上爪は壁面と反する面に凹部を有し、据付板の上部は上方へ延びる上止部を備えるとともに、上止部は壁面方向に向かう凸部を有し、上止部の上端を支点として空気調和機を傾斜させた際に、係合上爪の凹部と上止部の凸部とが当接するように構成される。
【発明の効果】
【００１０】
本発明によれば、配管を接続する際に据付板の上止部を支点として空気調和機を傾斜させても、据付板から安易に外れることのない空気調和機を提供することができる。
【発明を実施するための最良の形態】
【００１１】
本発明に係る空気調和機は、熱交換器と、熱交換器により熱交換された室内空気を吹出す送風ファンと、熱交換器及び送風ファンを内包するキャビネットと、壁面に据え付けるための据付板とを備えた空気調和機であって、キャビネットの背面上部は下方へ延びる係合上爪を備えるとともに、係合上爪は壁面と反する面に凹部を有し、据付板の上部は上方へ延びる上止部を備えるとともに、上止部は壁面方向に向かう凸部を有し、上止部の上端を支点として空気調和機を傾斜させた際に、係合上爪の凹部と上止部の凸部とが当接するように構成する。上止部の上端を支点として空気調和機を傾斜させた際に、係合上爪の凹部と上止部の凸部とが当接するように構成するので、配管を接続する際に空気調和機を傾斜させても、空気調和機が据付板から容易に外れることがない。
【００１２】
また、本発明に係る他の空気調和機は、熱交換器と、熱交換器により熱交換された室内空気を吹出す送風ファンと、熱交換器及び送風ファンを内包するキャビネットと、壁面に据え付けるための据付板とを備えた空気調和機であって、キャビネットの背面上部から下方へ延びる係合上爪を備えるとともに、係合上爪外側にキャビネット背面上部から壁面方向に向かう凸部を有し、据付板の上部は上方へ延びる上止部を備え、空気調和機の左右位置を調整する際に、上止部の左右両側側面がキャビネット背面上部の凸部と接するように構成する。空気調和機の左右位置を調整する際に、上止部の左右両側側面がキャビネット背面上部の凸部と接するように構成するので、空気調和機を掛止した後、空気調和機の左右位置を空気調和機本体を持って調整する際に、空気調和機のキャビネットが損傷や破損することがない。
【実施例１】
【００１３】
以下、本発明に係る空気調和機の第１の実施例を、図１−図３を用いて説明する。なお、図６および図７に記載の従来の空気調和機の構成と同一であるものについては同一の符号を記することとして、詳細な説明は省略する。
【００１４】
図１は本実施例における空気調和機の分解斜視図である。図２は本実施例における空気調和機の背面図および側面断面図である。図３は本実施例における空気調和機を据付板の上止部を支点として傾斜させた際の側面断面図である。
【００１５】
図１，図２および図３において５は空気調和機であり、空気調和機５はその背面側にキャビネット６を備える。また、図示しないが、空気調和機５は、キャビネットに内包された熱交換器と、室内空気を空気吸込口より吸込み熱交換器を通して空気吹出口より吹出す送風ファンとを備える。
【００１６】
さらに、空気調和機５は、キャビネット６の背面上部に形成されキャビネット６の背面上部から下方へ延びる係合上爪７，キャビネット６の背面下部に形成されキャビネット６の背面下部から上方に延びる係合下爪８，ネジ１０で壁面１１に固着される据付板１２，据付板１２の上部に形成され据付板１２の上部から上方へ延びる上止部１３，据付板１２の下部に形成され据付板１２の下部から下方へ延びる下止部１４，空気調和機５に接続する配管１６にて構成される。
【００１７】
ここで、キャビネットの背面上部は下方へ延びる係合上爪を備えるとともに、係合上爪は壁面と反する面に凹部を有する。また、据付板の上部は上方へ延びる上止部を備えるとともに、上止部は壁面方向に向かう凸部を有する。
【００１８】
以上のように構成された空気調和機の据付装置について、以下にその動作を説明する。まず、空気調和機５を据え付けるに際して据付位置を決定し、それに応じてネジ１０を用いて据付板１２を壁面１１に固着する。
【００１９】
次に、キャビネット６の背面上部に形成された係合上爪７を、据付板１２の上部に形成された上止部１３へ掛止する。この際、配管１６を空気調和機５へ接続するための作業スペースを確保するため、据付板１２の上止部１３を支点として空気調和機５を傾斜させ、キャビネット６の背面上部の係合上爪７の壁面方向と反する部位と、据付板１２の上止部１３の壁面方向に設けられた凸部が当接するように構成される。つまり、上止部１３の上端を支点として空気調和機５を傾斜させた際に、係合上爪７の凹部と上止部１３の凸部とが当接するように構成される。
【００２０】
その後、空気調和機５へ配管１６を接続した後、キャビネット６の背面下部に形成された係合下爪８を据付板１２の下部に形成された下止部１４へ掛止することにより、空気調和機５が据え付けられる。
【００２１】
尚、キャビネット６の背面上部の係合上爪７を複数の断面形状とすることができる。また、据付板１２の上止部１３の壁面方向に設けられた上止部の凸部１５を絞り形状，切り起こし形状、または曲げフランジ形状とすることができる。
【００２２】
以上のように、第１の実施例によれば、熱交換器と、熱交換器により熱交換された室内空気を吹出す送風ファンと、熱交換器及び送風ファンを内包するキャビネットと、壁面に据え付けるための据付板とを備えた空気調和機であって、キャビネットの背面上部は下方へ延びる係合上爪を備えるとともに、係合上爪は壁面と反する面に凹部を有し、据付板の上部は上方へ延びる上止部を備えるとともに、上止部は壁面方向に向かう凸部を有し、上止部の上端を支点として空気調和機を傾斜させた際に、係合上爪の凹部と上止部の凸部とが当接するように構成する。上止部の上端を支点として空気調和機を傾斜させた際に、係合上爪の凹部と上止部の凸部とが当接するように構成するので、配管を接続する際に空気調和機を傾斜させても、空気調和機が据付板から容易に外れることがない。
【実施例２】
【００２３】
次に、本発明に係る空気調和機の第２の実施例について、図４を用いて説明する。なお、第１の実施例に記載の構成と同一であるものについては同一の符号を記することとして、詳細な説明は省略する。
【００２４】
図４は本実施例における空気調和機の背面図および平面断面図である。図４において、５は空気調和機であり、空気調和機５はその背面側にキャビネット６を備える。また、図示しないが、空気調和機５は、キャビネットに内包された熱交換器と、室内空気を空気吸込口より吸込み熱交換器を通して空気吹出口より吹出す送風ファンとを備える。
【００２５】
さらに、空気調和機５は、キャビネット６の背面上部に形成されキャビネット６の背面上部から下方へ延びる係合上爪７，キャビネット６の背面下部に形成されキャビネット６の背面下部から上方に延びる係合下爪８，係合上爪７の外側にキャビネット背面上部から壁面方向に形成された凸部９，ネジ１０で壁面１１に固着される据付板１２，据付板１２の上部に形成され据付板１２の上部から上方へ延びる上止部１３，据付板１２の下部に形成され据付板１２の下部から下方へ延びる下止部１４，空気調和機５に接続する配管１６を備える。
【００２６】
以上のように構成された空気調和機の据付装置について、以下にその動作を説明する。上述したように、係合上爪７の外側にはキャビネット背面上部から壁面方向に形成された凸部９を備え、据付板１２の上部に形成された上止部１３の両端部および据付板１２の下部に形成された下止部１４と、キャビネット６の背面上部に形成された係合上爪７およびキャビネット６背面下部に形成された係合下爪８が接する前に、キャビネット６に形成されたの凸部９が据付板１２の上止部１３の側面に接するように構成される。つまり、空気調和機５の左右位置を調整する際に、上止部の左右両側側面がキャビネット６の凸部９と接するように構成される。
【００２７】
尚、キャビネット６の凸部９は、壁面方向を底面とする箱形状、もしくは壁面方向へ突起したリブ形状とすることができる。
【００２８】
以上のように、第２の実施例によれば、熱交換器と、熱交換器により熱交換された室内空気を吹出す送風ファンと、熱交換器及び送風ファンを内包するキャビネットと、壁面に据え付けるための据付板とを備えた空気調和機であって、キャビネットの背面上部から下方へ延びる係合上爪を備えるとともに、係合上爪外側にキャビネット背面上部から壁面方向に向かう凸部を有し、据付板の上部は上方へ延びる上止部を備え、空気調和機の左右位置を調整する際に、上止部の左右両側側面がキャビネット背面上部の凸部と接するように構成する。空気調和機の左右位置を調整する際に、上止部の左右両側側面がキャビネット背面上部の凸部と接するように構成するので、空気調和機を掛止した後、空気調和機の左右位置を空気調和機本体を持って調整する際に、空気調和機のキャビネットが損傷や破損することがない。
【実施例３】
【００２９】
次に、本発明による空気調和機の据付装置の第３の実施例について、図５を用いて説明する。なお、第１及び第２の実施例に記載の構成と同一であるものについては同一の符号を記することとして、詳細な説明は省略する。
【００３０】
図５は本実施例における空気調和機の背面図および平面断面図である。図４において、５は空気調和機であり、空気調和機５はその背面側にキャビネット６を備える。また、図示しないが、空気調和機５は、キャビネットに内包された熱交換器と、室内空気を空気吸込口より吸込み熱交換器を通して空気吹出口より吹出す送風ファンとを備える。
【００３１】
さらに、空気調和機５は、キャビネット６の背面上部に形成されキャビネット６の背面上部から下方へ延びる係合上爪７，キャビネット６の背面下部に形成されキャビネット６の背面下部から上方に延びる係合下爪８，係合上爪７の外側にキャビネット背面上部から壁面方向に形成された凸部９，ネジ１０で壁面１１に固着される据付板１２，据付板１２の上部に形成され据付板１２の上部から上方へ延びる上止部１３，据付板１２の下部に形成され据付板１２の下部から下方へ延びる下止部１４，空気調和機５に接続する配管１６を備える。
【００３２】
以上のように構成された空気調和機の据付装置について、以下に各々の部品の配置および寸法を説明する。
【００３３】
以上のように構成された空気調和機の据付装置について、以下にその動作を説明する。上述したように、係合上爪７の外側にはキャビネット背面上部から壁面方向に形成された凸部９を備え、据付板１２の上部に形成された上止部１３の両端部および据付板１２の下部に形成された下止部１４と、キャビネット６の背面上部に形成された係合上爪７およびキャビネット６背面下部に形成された係合下爪８が接する前に、キャビネット６に形成された凸部９が据付板１２の上止部１３の側面に接するように構成される。つまり、空気調和機５の左右位置を調整する際に、上止部の左右両側側面がキャビネット６の凸部９と接するように構成される。
【００３４】
ここで、空気調和機５のキャビネット６の背面上部に形成された係合上爪７からキャビネット６の背面に壁面１１方向に形成された凸部９間の距離をａとし、キャビネット６の背面上部に形成された係合上爪７から据付板１２の上止部１３の両端部間の距離をｂとし、空気調和機５のキャビネット６の背面下部に形成された係合下爪の両端部から据付板１２の下止部１４の両端部のｃとすると、ａ−ｂ＜ｂ≦ｃとなるように構成される。
【００３５】
以上のように、第３の実施例によれば、空気調和機５を掛止した後、空気調和機５の左右位置を空気調和機５本体を持って調整する際に、空気調和機５のキャビネット６を損傷および破損等による空気調和機５の落下等を防ぎ、更に安全性を確保した据付が可能となる。
【図面の簡単な説明】
【００３６】
【図１】第１の実施例における空気調和機の分解斜視図。
【図２】第１の実施例における空気調和機の背面図および側面断面図。
【図３】第１の実施例における空気調和機を据付板の上止部を支点として傾斜させた際の側面断面図。
【図４】第２の実施例における空気調和機の背面図および平面断面図。
【図５】第３の実施例における空気調和機の背面図および平面断面図。
【図６】従来の空気調和機の据付装置の分解斜視図。
【図７】従来の空気調和機の据付装置の側面断面図。
【符号の説明】
【００３７】
５  空気調和機
６  キャビネット
７  係合上爪
８  係合下爪
９  凸部
１０  ネジ
１１  壁面
１２  据付板
１３  上止部
１４  下止部
１５  上止部の凸部
１６  配管
【図１】
2009287854.tif 000003
【図２】
2009287854.tif 000004
【図３】
2009287854.tif 000005
【図４】
2009287854.tif 000006
【図５】
2009287854.tif 000007
【図６】
2009287854.tif 000008
【図７】
2009287854.tif 000009